(57)【要約】【課題】フィルムで撮影する従来の方法よりも遥かに高解像度であり、このため、画像を大きく拡大して、その微細な細部まで鮮明に観察することができる強立体画像撮像方法を提供する。【解決手段】  フラットベッド型でＣＣＤタイプのイメージスキャナの原稿を置くガラス面に被写体（小型立体物）を置き、その被写体を保持するガラス面と反射面（蓋）との距離を一定に保ってスキャンニングすることを特徴とするＣＣＤタイプのイメージスキャナを用いた立体画像撮像方法。【選択図】  図１
2006140915.tif 000002
【特許請求の範囲】
【請求項１】
フラットベッド型イメージスキャナの原稿を置くガラス面に被写体を置き、該被写体を保持するガラス面と反射面との距離を被写体に応じた任意の一定距離を保ってスキャンニングすることを特徴とするＣＣＤタイプのイメージスキャナを用いた強立体感画像撮像方法。
【請求項２】
被写体を保持するガラス面と反射面との距離を一定に保つため、被写体の周囲に上記距離を任意に変更できるスペーサを介装することを特徴とする請求項１に記載の強立体感画像撮像方法。
【発明の詳細な説明】
【技術分野】
【０００１】
本発明は、被写体、特に昆虫等の小型立体物を、強い立体感が得られる画像（以下、本明細書では「強立体感画像」という。）として撮像することができる強立体感撮像方法に関する。
【背景技術】
【０００２】
従来、小さなものを撮影するためには、例えば、特許文献１に示すマクロレンズを使用した撮影方法が公知である。
【０００３】
【特許文献１】特開２００１−０２１９５６号公報
【発明の開示】
【発明が解決しようとする課題】
【０００４】
しかしながら、マクロレンズは、一般的に被写界深度が浅く、ピントの合って見える範囲が極僅かであり、得られる画像もフィルムの解像力の影響を受け、大きく引き延ばす用途には使用できなかった。
【０００５】
また、カメラと同じ場所に光源を置く事は不可能なので、極至近距離にある被写体の写る範囲全てに適切なライティングを施すことは、困難であった。
【０００６】
さらに、従来、立体的な画像を撮影するためには、２台のカメラを使用し、人間の両眼と同じ程度の視差を設定して撮像する必要があり、撮影にはいろいろな設備や専門的な技術が必要であった。
【０００７】
またさらに、フィルムの現像などの二次的な作業工程が必要なため、撮影した内容をその場で確認することができなかった。
【０００８】
この発明は、かかる現状に鑑み創案されたものであって、その目的とするところは、フラットベッド型のイメージスキャナ（以下、単に「スキャナ」という）のガラス面に直接被写体を置き、一定の距離を保ったままスキャンニングすることで、強立体感画像を得ることができる強立体画像撮像方法を提供しようとするものである。
【課題を解決するための手段】
【０００９】
上記目的を達成するため、請求項１に記載の発明にあっては、フラットベッド型イメージスキャナのＣＣＤタイプのスキャナを用い、原稿を置くガラス面に被写体を置き、該被写体を保持するガラス面と例えば蓋等の反射面との距離を、被写体別に適切な距離に調整した状態で一定に保ってスキャンニングすることを特徴とする。
【００１０】
また、請求項２に記載の発明にあっては、被写体を保持するガラス面と反射面との距離を一定に保つため、被写体別に適切な距離を任意に変更できるスペーサを介装することを特徴とする。
【発明の効果】
【００１１】
以上説明したように、請求項１に記載の発明にあっては、フラットベッド型イメージスキャナのＣＣＤタイプのスキャナを用い、原稿を置くガラス面に被写体を置き、該被写体を保持するガラス面と反射面との距離を一定に保ってスキャンニングするように構成したため、非常に強い立体感が得られる２Ｄ画像を得ることができる。
【００１２】
また、撮像装置がスキャナそのものであるため、撮像した画像を直ちにパソコン画面で確認ができ、撮像結果によってはすぐに撮像し直すこともできる。
【００１３】
本発明に係る方法で撮影された画像は、フィルムで撮影する従来の方法よりも遥かに高解像度であり、このため、画像を大きく拡大して、その微細な細部まで鮮明に観察することが可能である。
【００１４】
また、ＣＣＤタイプのスキャナから得られる像は、ＣＣＤの走査する方向と直交する方向にのみ遠近感をもつという特性と、撮影部と照明部が極至近距離であるという特徴から、通常では考えられないような強い立体感をもつ画像を得ることができる。また、スペーサによってスキャンニング用の光が外に洩れないため、照明の効果が十分保たれ、鮮明な画像を得ることができる。
【００１５】
次に、請求項２に記載の発明にあっては、被写体を保持するガラス面と反射面との距離を一定に保つため、被写体の周囲にスペーサを置いたため、昆虫などの小さい被写体を蓋によって圧迫することなく、自然な形のままのリアルで立体感に富む画像を得ることができる。勿論、この発明にあっては、被写体は小型立体物に限定されるものではなく、本原理を用いて中型立体物は勿論、大型立体物も同様に撮像することができる。
【発明を実施するための最良の形態】
【００１６】
以下、添付図面に示す発明の実施の形態例に基づき、この発明を詳細に説明する。
【実施例１】
【００１７】
図１は、本発明になる立体画像撮像方法を実施するためのフラットベッド型スキャナの外観斜視図、図２はスペーサの外観斜視図である。
【００１８】
図３はスキャナの撮像原理を説明する原理図である。
【００１９】
図１において、１はＣＣＤタイプのスキャナ本体であり、１１は反射面１１１を有する蓋、１２はガラス面である。尚、上記スキャナ本体１の基本的な構成は、例えば、特開平９−２４７３６５号公報等に示される公知のスキャナ装置と同様に構成されているので、その詳細な説明をここでは省略する。
【００２０】
図２に示す符号１３は、ガラス面１２の上に介装されるスペーサであり、ガラス面１２と蓋１１との間に等間隔のスペースを確保する。尚、このスペーサ１３は、ガラス面１２に介装したときに、スキャナー光が漏れないように構成されている。
【００２１】
このため、蓋１１の蝶番部１１２はスキャナ本体１に固定されることなく、スキャナ本体１からある程度離れることができるようマージンが与えられているか、着脱可能な構造になっている。
【００２２】
符号１４は、撮像の対象となる被写体であり、例えばクワガタ等の昆虫などの小型立体物である。
【００２３】
図３において、１５は読取ユニットであり、光源１６およびスリット１７と一体になっている。
【００２４】
ガラス面の下部に位置する読取ユニット１５がガラス面１２に対して平行に移動し、光源１６の光が被写体１４に照射され、反射した光がスリット１７から図示しない撮像素子によって読み取られる。
【００２５】
スリット１７によって得られた線状の画像情報が、図３の下方向への読取ユニット１５の移動と共に順次蓄積されて一枚の画像が構成される。
【００２６】
撮像する場合は、スキャナ本体１のガラス面１２の縦横に合わせてスペーサ１３を介装し、その中のガラス面１２の中央部に被写体１４を置く。
【００２７】
例えば被写体が昆虫の場合は、昆虫を仰向けにして置けば、昆虫を上から見た状態の強立体感画像が撮像できる。
【００２８】
続いて蓋１１を閉めてスキャナ本体１を動作させ、被写体１４をスキャンニングする。
【００２９】
ＣＩＳ（Ｃｏｎｔａｃｔ  ｉｍａｇｅ  ｓｅｎｓｏｒ）タイプのスキャナは、ピントが合う範囲が狭く、鮮明な高解像度画像を撮影するためには、被写体１４がガラス１２に密着している必要があるので、被写体１４のような立体物を撮像するには不向きである。
【００３０】
これに対して、ＣＣＤ（Ｃｈａｒｇｅ  ｃｏｕｐｌｅｄ  ｄｅｖｉｃｅ）タイプのスキャナは、上記ＣＩＳタイプのスキャナとは異なり、焦点深度が深いためガラス面１２から少し離れた部分も撮像することができ、結果として、深度が浅い部分は明るく、深度が深い部分は、深度に応じて暗く撮影されるため、眼で見た状態と同様の濃淡画像が撮像されるため、２Ｄ画像であっても、鮮明で高解像度の強立体感画像を得ることができる。
【００３１】
この実施例１に係る立体画像撮像方法は、以上説明したように、フラットベッド型イメージスキャナの原稿を置くガラス面に被写体（小型立体物）を置き、該被写体を保持するガラス面と反射面（蓋）との距離を一定に保ってスキャンニングするよう構成したので、特別な、あるいは高価な装置や高度な技術を必要とすることなく、極めて簡単に小型立体物の強立体感画像を得ることができる。
【産業上の利用可能性】
【００３２】
この発明に係る立体画像撮像方法は、以上のように構成されているので、昆虫などの立体画像を簡単に得ることができ、小中学生の自然観察など学校教育その他広い分野に応用することができる。
【００３３】
また、撮像と同時にその画像データがパソコンに入力されるため、画像の確認や加工を極めて容易に行うことができる。
【図面の簡単な説明】
【００３４】
【図１】この発明に係る立体画像撮像方法に用いられるＣＣＤスキャナの概略的な構成を示す図である。
【図２】同スキャナに用いられるスペーサを示す図である。
【図３】フラットベッド型イメージスキャナの撮像原理を説明する原理図である。
【符号の説明】
【００３５】
１  スキャナ本体
１１  蓋
１１１  反射面
１１２  蝶番部
１２  ガラス面
１３  スペーサ
１４  被写体（小型立体物）
１５  読取ユニット
１６  スリット
１７  光源  
【図１】
2006140915.tif 000003
【図２】
2006140915.tif 000004
【図３】
2006140915.tif 000005